(57)【要約】【課題】光の照射方向を調節すること。【解決手段】光を反射するリフレクタ２１とリフレクタに覆われて配置される光源１９とを含む機能部１３と、機能部を室内と反対側の裏面に配置するとともに室内壁に取り付けられる意匠部１１とを有し、光源１９の光を、意匠部１１の貫通孔２９を通じて室内へ照射する照明装置であって、リフレクタ２１は、光を反射する凹状の反射面を有しており、光源１９の周りを意匠部１１の裏面に沿って回動可能に設けられ、反射面の回動に伴って室内側に照射される光の照射方向が変更可能に形成されてなり、機能部１３には、リフレクタ２１を回動させる駆動機構が設けられてなること。【選択図】図１
2013243086.tif 000002
【特許請求の範囲】
【請求項１】
光を反射するリフレクタと該リフレクタに覆われて配置される光源とを含む機能部と、前記機能部を室内と反対側の裏面に配置するとともに室内壁に取り付けられる意匠部とを有し、前記光源の光を、前記意匠部の貫通孔を通じて室内へ照射する照明装置であって、
前記リフレクタは、光を反射する凹状の反射面を有しており、前記光源の周りを前記意匠部の裏面に沿って回動可能に設けられ、前記反射面の回動に伴って前記室内側に照射される光の照射方向が変更可能に形成されてなり、
前記機能部には、前記リフレクタを回動させる駆動機構が設けられてなる照明装置。
【請求項２】
前記リフレクタには、前記光源を中心とする周方向に延びる溝を有する鍔部が一体又は別体で設けられ、
前記意匠部の裏面には、前記溝内に収容される複数の突起部が設けられてなる請求項１に記載の照明装置。
【請求項３】
前記駆動機構は、前記鍔部の前記光源を中心とする周方向に形成される第１の歯車と、前記意匠部の裏面に支持されるモータと、該モータの回転軸に支持されて前記第１の歯車と噛み合う第２の歯車とを備えてなる請求項２に記載の照明装置。
【発明の詳細な説明】
【技術分野】
【０００１】
本発明は、照明装置に係り、特に光の照射方向を調節することができる照明装置に関する。
【背景技術】
【０００２】
従来、車両用の照明装置として、ケース内に、光源と、その光源の光を反射させるリフレクタを収容し、光源からの光をリフレクタの反射面で反射させて車内へ照射するように構成されるものがある。
【０００３】
例えば、特許文献１には、光源からの光を反射させるリフレクタを２枚備えた車両用の照明装置が開示されている。この照明装置は、凹状の曲面からなる反射面に開口部を有する第１リフレクタと、凹状の曲面からなる表面に、光を反射させる反射面と光を反射させない無反射面とを設けた第２リフレクタとを有し、第１リフレクタの裏面側に第２リフレクタを配置し、第１リフレクタを回転させることにより、第１リフレクタの開口部に、第２リフレクタの反射面と無反射面とが、臨むように構成される。これによれば、第１リフレクタの回転方向の位置を調節することにより、第１リフレクタの反射領域と第２リフレクタの反射領域との和、つまり、照明装置から車内へ向けて照射する光量を調節することができる。
【先行技術文献】
【特許文献】
【０００４】
【特許文献１】特開平８−２９０７４２号公報
【発明の概要】
【発明が解決しようとする課題】
【０００５】
ところで、特許文献１によれば、車内へ向けて照射する光量を調節できるが、光の照射方向を調節することができないという問題がある。
【０００６】
本発明の課題は、光の照射方向を調節できるようにすることにある。
【課題を解決するための手段】
【０００７】
上記課題を解決するため、本発明は、光を反射するリフレクタと該リフレクタに覆われて配置される光源とを含む機能部と、この機能部を室内と反対側の裏面に配置するとともに室内壁に取り付けられる意匠部とを有し、光源の光を、意匠部の貫通孔を通じて室内へ照射する照明装置であって、リフレクタは、光を反射する凹状の反射面を有しており、光源の周りを意匠部の裏面に沿って回動可能に設けられ、反射面の回動に伴って室内側に照射される光の照射方向が変更可能に形成されてなり、機能部には、リフレクタを回動させる駆動機構が設けられてなるものとする。
【０００８】
これによれば、光を反射させる反射面を光源の周りで回動させることにより、光源に対して反射面の向きを変えることができるから、意匠部の貫通孔から室内へ照射される光の照射方向を自在に調節することができる。
【０００９】
この場合において、リフレクタには、光源を中心とする周方向に延びる溝を有する鍔部が一体又は別体で設けられ、意匠部の裏面には、溝内に収容される複数の突起部が設けられてなるものとする。
【００１０】
これによれば、溝内に突起部が収容されたリフレクタを意匠部の裏面に沿って動かすことにより、リフレクタは、溝内に突起部を案内しながら移動する。したがって、リフレクタの位置、つまり反射面の向きを突起部と溝によって連続的に調節することができ、室内への光の照射方向の調節精度を高めることができる。
【００１１】
また、駆動機構は、鍔部の光源を中心とする周方向に形成される第１の歯車と、意匠部の裏面に支持されるモータと、このモータの回転軸に支持されて第１の歯車と噛み合う第２の歯車とを備えてなるものとする。これによれば、モータの回転によってリフレクタの位置を簡単に変更することができる。
【発明の効果】
【００１２】
本発明によれば、光の照射方向を調節することが可能となる。
【図面の簡単な説明】
【００１３】
【図１】本発明に係る照明装置の分解斜視図である。
【図２】本発明に係る照明装置の組み立て手順を示す図である。
【図３】本発明に係る照明装置の機能部の構成を示す斜視図である。
【図４】本発明に係る照明装置の意匠部の構成を示す斜視図である。
【図５】本発明に係る照明装置の機能部の構成を示す側断面図である。
【図６】リフレクタの位置毎の平面図と斜視図である。
【図７】リフレクタの位置毎の平面図とそのＸ−Ｘ方向の矢視断面図である。
【発明を実施するための形態】
【００１４】
以下、本発明に係る照明装置の実施の形態について図面を参照して説明する。本実施の形態では、自動車のルームランプやマットランプのように車内を照明する照明装置に用いる例を説明するが、本発明の照明装置は、このような車両用に限られず、室内を照明するものとして広く用いることができる。
【００１５】
図１は、本実施の形態の照明装置１を分解した斜視図である。図１に示すように、本実施の形態の照明装置１は、意匠部１１と、機能部１３を有している。意匠部１１は、車内壁に取り付けられるハウジング１５と、ハウジング１５の前面（車内側）に取り付けられるレンズ１７を含んで構成される。機能部１３は、光源１９と、光を反射するリフレクタ２１と、モータ２３と、鍔部２５と、スイッチ装置２７を含んで構成される。
【００１６】
ハウジング１５は、略矩形に形成された板状の樹脂成形品からなり、車内壁の凹部などに取り付けられるようになっている。図１において、下方の面が車内側の意匠面となり、上方の面（以下、裏面という。）が機能部１３の支持面となる。ハウジング１５には、円形の貫通孔２９が設けられている。この貫通孔２９の内側には、対向する内側面間を架け渡す連絡部材３１が設けられ、連絡部材３１の中央部には、一対の係止爪３３が立設している。係止爪３３の内側には、光源１９が取り付けられるようになっている。
【００１７】
ハウジング１５の裏面には、図１に示すように、モータ２３を組み付けるための複数対の係止片３５、スイッチ装置２７を組み付けるための複数対の係止片３７がそれぞれ立設され、ハウジング１５の両端部には、ハウジング１５を車内壁に取り付けるためのクリップ３９が立設している。これらは、いずれも弾性変形することによって対象部品を係止させる周知の形状をなしている。
【００１８】
レンズ１７は、矩形の枠体４１と、その内側のレンズ面４３から構成され、レンズ面４３が意匠面と対向するようにハウジング１５に取り付けられるようになっている。
【００１９】
光源１９は、スイッチ装置２７と電線を介して接続され、スイッチ装置２７がオンのときに、図示しない電源から供給された電気がスイッチ装置２７を介して光源１９に供給されるようになっている。光源１９の種類は、特に限定されず、ＬＥＤや電球（バルブ）などを用いることができる。
【００２０】
リフレクタ２１は、後述するように、貫通孔２９の開口縁に沿って裏面上に取り付けられ、光源１９を包囲するように配設される。具体的に、リフレクタ２１は、例えば、円錐の周方向の一部をなして、断面円弧状に立ち上がる側面部４５と、その側面部４５と連なって形成され、内側に凹曲面をなして形成されるドーム状の屋根部４７と、側面部４５の下端の周縁から周状に突出する取付部４９を有しており、側面部４５と屋根部４７の内側には、光を反射する反射面が設けられる。リフレクタ２１は、光源１９を覆って保護する機能と、光を反射する機能を有しており、光を反射する機能としては、光源１９からの光を反射させて、貫通孔２９を通じて車内側へ照射することができれば、形状や材質については、特に限定されるものではない。取付部４９には、周方向に互いに間隔をあけて、複数の貫通孔５１が設けられている。この貫通孔５１には、後述するように、鍔部２５の突起部が、それぞれ挿入されるようになっている。
【００２１】
鍔部２５は、リフレクタ２１の取付部４９に取り付けられる円弧状の樹脂部材である。鍔部２５は、光源１９を中心とする周方向に延在する溝５３と、光源１９を中心とする周方向に形成される第１の歯車５５と、リフレクタ２１の貫通孔５１に挿入される複数の第１の突起部５７とを備える。鍔部２５は、断面が、凸状をなして形成され、図１の上向きの面を上面としたとき、高さの異なる３つの円弧状の上面を有している。これらの上面を、鍔部２５の仮想中心から遠ざかる方向に向かって、第１−第３の上面としたとき、第１の上面には、第１の突起部５７が立設して設けられ、第２の上面（最も高い面）には、第１の歯車５５が形成され、第３の上面には、溝５３が形成される。
【００２２】
一方、ハウジング１５の裏面には、複数の第２の突起部５９が立設し、この第２の突起部５９が、それぞれ溝５３に収容されるようになっている。
【００２３】
モータ２３は、回転軸がハウジング１５の裏面と平行に配置され、回転軸の一端には、第２の歯車６１が固定されている。第２の歯車６１は、モータ２３が係止片３５に取り付けられたときに、第１の歯車５５と噛み合うようになっている。モータ２３には、図示しない電線を介してモータ２３の回転軸の回転速度や回転方向などを制御する制御装置が接続される。本実施の形態では、モータ２３、第１の歯車５５及び第２の歯車６１によって、リフレクタ２１を回動させる駆動機構を構成する。
【００２４】
次に、このようにして構成される照明装置の組み立て方法について説明する。
【００２５】
先ず、スイッチ装置２７と電線を介して接続された光源１９を用意し、その光源１９をハウジング１５の一対の係止片３３の間に挿入して組み付けるとともに、スイッチ装置２７を係止片３７の間に挿入して組み付ける。
【００２６】
次に、図２（ａ）の矢印で示すように、リフレクタ２１の取付部４９の貫通孔５１に、鍔部２５の第１の突起部５７を挿入し、第１の突起部５７に熱カシメを施すことにより、鍔部２５をリフレクタ２１に固定する。
【００２７】
続いて、図２（ｂ）の矢印で示すように、鍔部２５の溝５３に、ハウジング１５の裏面から突出する第２の突起部５９を挿入し、リフレクタ２１をハウジング１５の裏面上に組み付ける。このとき、鍔部２５は、ハウジング１５の段差部６３の側面に形成された凹状の湾曲面６５と、ハウジング１５の裏面から起立する２箇所の第３の突起部６７の内側に配置されるため、リフレクタ２１の回動範囲が制限される。
【００２８】
最後に、第２の歯車６１が回転軸に固定されているモータ２３を係止片３５に係止させる。図３に示すように、モータ２３が係止片３５に係止されると、図３の拡大図に示すように、第２の歯車６１が第１の歯車５５と噛み合う。
【００２９】
図４は、図３の照明装置１を意匠側から見たときの外観図であり、図５は、照明装置１を車内壁の開口部に取り付けたときの断面構造を示す図である。図に示すように、照明装置１は、両端部のクリップ３９と車内壁の開口縁６９とが係合することで車内壁に取り付けられる。
【００３０】
次に、本実施の形態の照明装置１の動作について説明する。光源１９は、スイッチ装置２７のオン操作により、電気が供給されることで点灯する。光源１９が点灯すると、光源１９からの光は、リフレクタ２１の反射面で反射した後、貫通孔２９を通り貫け、レンズ４１を通過して、照明装置１の外部（車内）に照射される。
【００３１】
ここで、車内へ照射する光の照射方向を変更する操作（外部操作）がなされたときは、新たに設定された光の照射方向に対応する信号がモータ２３に入力される。これにより、モータ２３の回転軸は、所定の方向に回転を始める。そして、モータ２３の回転軸に固定された第２の歯車６１が回転することにより、第２の歯車６１と噛み合う第１の歯車５５が回転し、第１の歯車５５の回転に伴って、鍔部２５に固定されたリフレクタ２１が回転する。リフレクタ２１は、光源１９を中心とする光源１９の周方向に沿って移動することから、リフレクタ２１が移動しても、リフレクタ２１で反射した光は、貫通孔２９を通過して室内へ照射される。すなわち、リフレクタ２１をその回動方向の所定位置まで移動させることにより、室内へ照射する光の照射方向を調節することができる。
【００３２】
次に、図６、７を用いて、リフレクタ２１の回転方向の位置と光の照射方向との関係を説明する。図６は、リフレクタ２１の回転方向の位置毎の平面図及び斜視図、図７は、リフレクタ２１の回転方向の位置毎の平面図及びＸ−Ｘ方向の矢視断面図である。なお、図７では、リフレクタ２１で反射された光は、平面視において、互いに光線ａが平行に進行し、断面視において、互いに光線ａが広がるように進行する例を示すが、これは、屋根部４７と側面部４５の反射面の形状によるものであり、光線ａの方向は、反射面の形状によって適宜設定することができる。
【００３３】
図６（ａ）に示すように、リフレクタ２１が回転方向の中央に配置されるときは、図７（ａ）に示すように、光源１９からの光の照射領域ｂは、ハウジング１５の長手方向に形成される。そして、モータ２３の回転軸が正回転し、図６（ｂ）に示すように、リフレクタ２１が矢印の方向（反時計回り）に回動するときは、図７（ｂ）に示すように、光の照射領域ｂもリフレクタ２１の動きに合わせて、反時計回りの方向に移動する。一方、モータ２３の回転軸が負回転し、図６（ｃ）に示すように、リフレクタ２１が矢印の方向（時計回り）に回動するときは、図７（ｃ）に示すように、光の照射領域ｂもリフレクタ２１の動きに合わせて、時計回りの方向に移動する。なお、図６（ｂ）、（ｃ）のいずれの場合も、鍔部２５の端面が、回転方向のストッパとなる第３の突起部６７と当接することにより、位置決めがなされている。
【００３４】
以上述べたように、本実施の形態によれば、光を反射させる反射面を光源１９の周りで回動させることにより、光源１９に対する反射面の向きを変えることができるため、意匠部の貫通孔２９から室内へ照射される光の照射方向を連続的に調節することができる。また、本実施の形態では、モータ２３の回転軸を回転させて、反射面の位置を調節しているため、反射面の回転方向の位置の微調整が容易となり、室内へ照射される光の照射方向を精度よく調節することができる。
【００３５】
以上、本発明の実施の形態を図面により詳述してきたが、上記の実施の形態は本発明の例示にしか過ぎないものであり、本発明は上記の実施の形態の構成にのみ限定されるものではない。本発明の要旨を逸脱しない範囲の設計の変更などがあっても、本発明に含まれることは勿論である。
【００３６】
例えば、本実施の形態では、鍔部２５をリフレクタ２１と別体で形成し、後から熱カシメによってリフレクタ２１と接続する例を説明したが、鍔部２５とリフレクタ２１とが一体的に形成されていてもよい。
【００３７】
また、本実施の形態では、光源１９は、ハウジング１５の裏面に１個設ける例を説明したが、複数の光源１９を配置し、これらの光源の周りをリフレクタ２１が回動するように構成することもできる。
【符号の説明】
【００３８】
１１  意匠部
１３  機能部
１５  ハウジング
１９  光源
２１  リフレクタ
２３  モータ
２５  鍔部
２９  貫通孔
５３  溝
５５  第１の歯車
５７  第１の突起部
５９  第２の突起部
６１  第２の歯車
【図１】
2013243086.tif 000003
【図２】
2013243086.tif 000004
【図３】
2013243086.tif 000005
【図４】
2013243086.tif 000006
【図５】
2013243086.tif 000007
【図６】
2013243086.tif 000008
【図７】
2013243086.tif 000009